(57)【要約】【課題】本発明の一実施形態は、視認性が高い表示を提供することを目的の１つとする。【解決手段】表示装置であって、第１のサブ画素と、第１のサブ画素と同じ行方向に隣接して配置されている第２のサブ画素と、前記行に隣接する行で第１のサブ画素と第２のサブ画素との間に配置されている第３のサブ画素と、を備える表示パネルと、第１のサブ画素に対応する第１の入力画像信号と、第２のサブ画素に対応する第２の入力画像信号と、第３のサブ画素に対応する第３の入力画像信号と、第１の入力画像信号と第２の入力画像信号との間に入力され、何れか一つのサブ画素に対応される第４の入力画像信号と、を表示パネルのサブ画素を駆動する信号に変換する画像処理回路と、を備える。【選択図】図６
2019032422.tif 000002
【特許請求の範囲】
【請求項１】
第１のサブ画素と、
前記第１のサブ画素と同じ行方向に隣接して配置されている第２のサブ画素と、
前記行に隣接する行で前記第１のサブ画素と前記第２のサブ画素との間に配置されている第３のサブ画素と、を備える表示パネルと、
前記第１のサブ画素に対応する第１の入力画像信号と、
前記第２のサブ画素に対応する第２の入力画像信号と、
前記第３のサブ画素に対応する第３の入力画像信号と、
前記第１の入力画像信号と前記第２の入力画像信号との間に入力され、前記いずれか一つのサブ画素に対応される第４の入力画像信号と、を前記表示パネルのサブ画素を駆動する信号に変換する画像処理回路と、
を備える表示装置。
【請求項２】
前記第１の入力画像信号が前記第１のサブ画素を点灯させる信号であって、
前記第２の入力画像信号が前記第２のサブ画素を点灯させない信号であって、
前記第３の入力画像信号が前記第３のサブ画素を点灯させない信号であるときに、
前記第１の入力画像信号と前記第４の入力画像信号とに基づいて、前記第１のサブ画素を駆動する、
請求項１に記載の表示装置。
【請求項３】
前記第１の入力画像信号が前記第１のサブ画素を点灯させない信号であって、
前記第２の入力画像信号が前記第２のサブ画素を点灯させる信号であって、
前記第３の入力画像信号が前記第３のサブ画素を点灯させない信号であるときに、
前記第２の入力画像信号と前記第４の入力画像信号とに基づいて、前記第２のサブ画素を駆動する、
請求項１に記載の表示装置。
【請求項４】
前記第１の入力画像信号が前記第１のサブ画素を点灯させない信号であって、
前記第２の入力画像信号が前記第２のサブ画素を点灯させない信号であるときに、
前記第３の入力画像信号と前記第４の入力画像信号とに基づいて、前記第３のサブ画素を駆動する、
請求項１に記載の表示装置。
【請求項５】
前記第１のサブ画素と、前記第２のサブ画素と、前記第３のサブ画素とは、同じ色に対応するサブ画素である、
請求項１に記載の表示装置。
【請求項６】
前記第１のサブ画素と、前記第２のサブ画素との間には、少なくとも二つ以上のサブ画素が配置され、
前記少なくとも２つ以上のサブ画素は、お互いが異なる色に対応し、かつ、前記第１の画素及び前記第２の画素とも異なる色に対応する、
請求項５に記載の表示装置。
【請求項７】
前記少なくとも２つ以上のサブ画素は、緑色に対応するサブ画素と、白色に対応するサブ画素であって、
前記緑色に対応する画素は、前記白色に対応するサブ画素と前記白色に対応するサブ画素に隣接する白色のサブ画素との中央に配置される
請求項６に記載の表示装置。
【請求項８】
第１のサブ画素と、
前記第１のサブ画素と同じ行方向に隣接して配置されている第２のサブ画素と、
前記行に隣接する行で前記第１のサブ画素と前記第２のサブ画素との間に配置されている第３のサブ画素と、
を有する表示パネルに表示する画像の画像処理方法であって、
画像処理回路によって、
前記第１のサブ画素に対応する第１の入力画像信号と、
前記第２のサブ画素に対応する第２の入力画像信号と、
前記第３のサブ画素に対応する第３の入力画像信号と、
前記第１の入力画像信号と前記第２の入力画像信号との間に入力され、いずれかのサブ画素に対応される第４の入力画像信号と、が、前記表示パネルのサブ画素を駆動する信号に変換されることを含む
画像処理方法。
【請求項９】
前記画像処理回路に、
前記第１のサブ画素を点灯させる第１の入力画像信号が入力され、
前記第２のサブ画素を点灯させない第２の入力画像信号が入力され、
前記第３のサブ画素を点灯させない第３の入力画像信号が入力されるとき、
前記画像処理回路によって、
前記第１の入力画像信号と前記第１の入力画像信号とが、前記第１のサブ画素を駆動する信号に変換されることを含む
請求項８に記載の画像処理方法。
【請求項１０】
前記画像処理回路に、
前記第１のサブ画素を点灯させない第１の入力画像信号が入力され、
前記第２のサブ画素を点灯させる第２の入力画像信号が入力され、
前記第３のサブ画素を点灯させない第３の入力画像信号が入力されるとき、
前記画像処理回路によって、
前記第２の入力画像信号と前記第４の入力画像信号とが、前記第２のサブ画素を駆動する信号に変換されることを含む
請求項８に記載の画像処理方法。
【請求項１１】
前記画像処理回路に、
前記第１のサブ画素を点灯させない第１の入力画像信号が入力され、
前記第２のサブ画素を点灯させない第２の入力画像信号が入力されるとき、
前記画像処理回路によって、
前記第３の入力画像信号と前記第４の入力画像信号とが、前記第３のサブ画素を駆動する信号に変換されることを含む
請求項８に記載の画像処理方法。
【発明の詳細な説明】
【技術分野】
【０００１】
本発明は、表示装置及び画像処理方法に関する。
【背景技術】
【０００２】
近年、液晶表示装置、有機エレクトロルミネッセンス（Ｅｌｅｃｔｒｏｌｕｍｉｎｅｓｃｅｎｃｅ）表示装置を代表とする表示装置において、視認性、色再現性を向上させるための開発が進んでいる。一般的に、表示装置の画面は、複数の画素によって構成されており、一つの画素は、光の三原色である赤色、緑色、青色に対応する表示素子を各々設けた三つのサブ画素によって構成されている。こうして、表示装置はカラー表示が可能となっている。例えば、色再現性を向上させる手法の一つに、表示に用いる原色の数を、従来の三つから四つ以上に増やす手法がある。
【０００３】
表示に用いる原色の数を四つにした場合、三原色の入力画像信号を四色の出力画像信号に変換した後に、表示装置に画像を表示することになる。
【０００４】
特許文献１には、例えば、入力画像信号が三原色の２画素分を、出力画像信号が四色の１画素に変換された画像が表示される表示装置が開示されている。
【先行技術文献】
【特許文献】
【０００５】
【特許文献１】特開２０１５−１９７４６１号公報
【発明の概要】
【発明が解決しようとする課題】
【０００６】
しかしながら、例えば、入力画像信号が三原色の２画素分を、出力画像信号が四色の１画素に変換した画像を表示装置に表示する場合、表示装置の視認性が損なわれる可能性がある。
【０００７】
このような課題に鑑み、本発明の一実施形態は、視認性が高い表示を提供することを目的の１つとする。
【課題を解決するための手段】
【０００８】
表示装置であって、第１のサブ画素と、第１のサブ画素と同じ行方向に隣接して配置されている第２のサブ画素と、前記行に隣接する行で第１のサブ画素と第２のサブ画素との間に配置されている第３のサブ画素とを備える表示パネルと、第１のサブ画素に対応する第１の入力画像信号と、第２のサブ画素に対応する第２の入力画像信号と、第３のサブ画素に対応する第３の入力画像信号と、第１の入力画像信号と第２の入力画像信号との間に入力され、いずれか一つの画素に対応される第４の入力画像信号と、を表示パネルのサブ画素を駆動する信号に変換する画像処理回路と、を備える。
【０００９】
第１のサブ画素と、第１のサブ画素と同じ行方向に隣接して配置されている第２のサブ画素と、前記行に隣接する行で第１のサブ画素と第２のサブ画素との間に配置されている第３のサブ画素と、を有する表示パネルに表示する画像の画像処理方法であって、画像処理回路によって、第１のサブ画素に対応する第１の入力画像信号と、第２のサブ画素に対応する第２の入力画像信号と、第３のサブ画素に対応する第３の入力画像信号と、前記第１の入力画像信号と前記第２の入力画像信号との間に入力され、いずれかのサブ画素に対応される第４の入力画像信号と、が、表示パネルのサブ画素を駆動する信号に変換されることを含む。
【図面の簡単な説明】
【００１０】
【図１】本発明の一実施形態に係る表示装置の構成を示す模式図。
【図２】本発明の一実施形態に係る表示装置が有する表示パネルを示す模式図。
【図３】本発明の一実施形態に係る入力画像に対応する画素と出力画像に対応する画素とを示す模式図。
【図４】本発明の一実施形態に係る入力画像に対応する画素の例を示す模式図。
【図５】本発明の一実施形態に係る出力画像に対応する画素の例を示す模式図。
【図６】本発明の一実施形態に係る入力画像に対応する画素と出力画像に対応する画素とを示す模式図。
【図７】本発明の一実施形態に係る画像処理方法を説明するフローチャートを示す模式図。
【図８】本発明の一実施形態に係る入力画像に対応する画素と出力画像に対応する画素とを示す模式図。
【図９】本発明の一実施形態に係る入力画像に対応する画素と出力画像に対応する画素とを示す模式図。
【図１０】本発明の一実施形態に係る入力画像に対応する画素と出力画像に対応する画素とを示す模式図。
【図１１】本発明の一実施形態に係る入力画像に対応する画素と出力画像に対応する画素とを示す模式図。
【図１２】本発明の一実施形態に係る画像処理方法を説明するフローチャートを示す模式図。
【図１３】本発明の一実施形態に係る入力画像に対応する画素と出力画像に対応する画素とを示す模式図。
【図１４】本発明の一実施形態に係る入力画像に対応する画素と出力画像に対応する画素とを示す模式図。
【図１５】本発明の一実施形態に係る入力画像と出力画像が表示される画素を示す模式図。
【図１６】本発明の一実施形態に係る入力画像の例を示す模式図。
【図１７】本発明の一実施形態に係る画像処理方法を行わない場合の出力画像の例を示す模式図。
【図１８】本発明の一実施形態に係る画像処理方法を行った場合の出力画像の例を示す模式図。
【図１９】本発明の一実施形態に係る他の入力画像の例を示す模式図。
【図２０】本発明の一実施形態に係る他の出力画像の例を示す模式図。
【図２１】本発明の一実施形態に係る他の画像処理方法を説明するフローチャートを示す模式図。
【図２２】本発明の一実施形態に係る他の画像処理方法を説明するフローチャートを示す模式図。
【図２３】本発明の一実施形態に係る入力画像に対応する画素と出力画像に対応する画素とを示す模式図。
【図２４】本発明の一実施形態に係る入力画像に対応する画素と出力画像に対応する画素とを示す模式図。
【図２５】本発明の一実施形態に係る入力画像に対応する画素と出力画像に対応する画素とを示す模式図。
【図２６】本発明の一実施形態に係る他の画像処理方法を行った場合の出力画像の例を示す模式図。
【図２７】本発明の一実施形態に係る出力画像に対応する画素の他の例を示す模式図。
【図２８】本発明の一実施形態に係る出力画像に対応する画素の他の例を示す模式図。
【図２９】本発明の一実施形態に係る出力画像に対応する画素の他の例を示す模式図。
【図３０】本発明の一実施形態に係る出力画像に対応する画素の他の例を示す模式図。
【発明を実施するための形態】
【００１１】
以下、本発明の実施形態を、図面等を参照しながら説明する。但し、本発明は多くの異なる態様で実施することが可能であり、以下に例示する実施の形態の記載内容に限定して解釈されるものではない。また、図面は説明をより明確にするため、実際の態様に比べ、各部の構成等について模式的に表される場合があるが、あくまで一例であって、本発明の解釈を限定するものではない。さらに、本明細書と各図において、既出の図に関して前述したものと同様の要素には、同一の符号（または数字の後にａ、ｂなどを付した符号）を付して、詳細な説明を適宜省略することがある。なお、各要素に対する「第１」、「第２」と付記された文字は、各要素を区別するために用いられる便宜的な標識であり、特段の説明がない限りそれ以上の意味を有さない。
【００１２】
（第１実施形態）
本実施形態では、本発明の一実施形態に係る表示装置の構成を説明する。
【００１３】
図１は、本発明の一実施形態に係る表示装置１０の構成を示す模式図である。表示装置１０は、例えば、画像処理回路１００、表示パネル５００を備えている。
【００１４】
画像処理回路１００は、少なくとも、記憶回路２０と、バッファ回路３０とを含む。画像処理回路１００は、入力画像信号１１０が入力され、出力画像信号１１２を出力する。画像処理回路１００は、入力画像信号１１０を表示パネル５００に表示する画像信号に変換する。表示パネル５００に表示する画像信号が出力画像信号１１２である。記憶回路２０は、入力画像信号１１０を格納する。入力画像信号１１０は、表示パネルが有する複数の画素に表示するための画像データを有する。信号記憶回路２０が入力画像信号１１０を格納することで、複数の画像データ一つずつ処理する、あるいは、複数の画像データを一括で処理するなど、画像処理に汎用性を持たせることができる。なお、記憶回路２０は例えばフラッシュメモリなどの不揮発性メモリである。バッファ回路３０は記憶回路２０から読み出された入力信号１１０を増幅する、及びまたは、入力信号１１０の信号波形を成型することができる。バッファ回路３０を備えることで、信号波形が鈍らず、また、信号遅延も最小限に抑えられ、安定した信号を転送することができる。
【００１５】
図２は、本発明の一実施形態に係る表示装置１０が有する表示パネル５００を示す模式図である。表示装置５００は、基板５１４、表示領域５０４、映像信号線駆動回路５０６、走査信号線駆動回路５０８及び５１０、コネクタ５１２を含む。
【００１６】
基板５１４上に、表示領域５０４、映像信号線駆動回路５０６、走査信号線駆動回路５０８及び５１０が形成される。コネクタ５１２は基板５１４に接続される。映像信号線駆動回路５０６、走査信号線駆動回路５０８及び５１０は、そのすべてが、基板５１４上に形成されなくてもよい。例えば、映像信号線駆動回路５０６、走査信号線駆動回路５０８及び５１０の一部、または、すべての機能を含む集積回路（ＩＣ、Ｉｎｔｅｇｒａｔｅｄ  Ｃｉｒｃｕｉｔ）（図示せず）が、基板５１４上、或いはコネクタ５１２上に配置されてもよい。
【００１７】
基板５１４は、ガラス基板のような硬い基材でもよいし、可撓性を有する基材でもよい。ガラス基板のような硬い基材は、例えば、ガラス基板、石英基板、セラミックス基板に例示される材料を含むことができる。基板５１４が、ガラス基板のような硬い基材を用いることで、剛性が高い表示装置５００を提供することができる。可撓性を有する基材は、例えば、ポリイミド、ポリアミド、ポリエステル、ポリカーボネートに例示される高分子材料から選択される材料を含むことができる。基板５１４が、可撓性を有する基材を用いることで、軽く、かつ薄い表示装置５００を提供することができる。
【００１８】
表示領域５０４は、複数の画素５０２を含んでいる。複数の画素５０２は、一方向及び一方向と交差する方向に沿って、配列される。複数の画素５０２の配列数は任意である。例えば、Ｘ方向にｍ個、Ｙ方向にｎ個の画素５０２が配列される。ｍとｎはそれぞれ独立に、１よりも大きい自然数である。表示領域５０４は画素５０２が一方向及び一方向と交差する方向に沿って配列される領域を含む。画素５０２の各々は、表示素子を有する。表示素子は、例えば、液晶素子、または有機ＥＬ素子を含む。
【００１９】
図３は、本発明の一実施形態に係る入力画像に対応する画素と出力画像に対応する画素を示す模式図である。本発明の一実施形態に係る表示装置では、入力画像に対応する１画素６１６が、三つのサブ画素６０２から構成される。特に、１画素６１６は、所謂光の三原色である、赤色（Ｒ）、緑色（Ｇ）、及び青色（Ｂ）のそれぞれの色に対応するサブ画素から構成される。また、出力画像に対応する１画素５１８は、赤色（Ｒ）、緑色（Ｇ）、青色（Ｂ）、白色（Ｗ）の四色のそれぞれの色に対応するサブ画素から構成される。また、出力画像に対応する１画素５１８は、特に輝度が高い緑色（Ｇ）及び白色（Ｗ）に対応するサブ画素間の距離が、表示領域の行方向および列方向のそれぞれの方向に一定で、均等に配列されている。すなわち、同一行において、緑色のサブ画素は、白色のサブ画素と当該白色画素に隣接する白色の画素との中央に配置される。本発明の一実施形態に係る表示装置は、入力画像信号が三原色の２画素分（入力画像信号に対応する２画素分６１８）を、出力画像信号が四色の１画素（出力画像に対応する１画素分５１８）に変換された画像が表示される表示装置である。すなわち、本発明の一実施形態に係る表示装置は、入力画像信号は同じ色が２画素分であるのに対し、出力画像信号は同じ色が１画素である。例えば、入力画像信号は赤色が２画素分であるのに対し、出力画像信号は赤色が１画素である。
【００２０】
図４から図１５を用いて、本発明の一実施形態に係る画像処理について説明する。図４は、入力画像に対応する画素の例を示す模式図である。入力画像に対応する画素の配列はストライプ配列である。また、奇数行と偶数行の画素の配列が同じである。すなわち、１行目の入力画像信号に対応する２画素６１８−１と、２行目の入力画像信号に対応する２画素６１８−２とは、サブ画素の配列が赤色（Ｒ）、緑色（Ｇ）、及び青色（Ｂ）が２度繰り返されており、画素の配列が同じである。
【００２１】
図５は、本発明の一実施形態に係る出力画像に対応する画素の例を示す模式図である。図５に示す画素の例が、表示パネル５００の表示領域５０４に対応する。出力画像に対応する画素の配列もストライプ配列であるが、奇数行と偶数行の画素の配列が異なる。具体的には、奇数行は、出力画像に対応する１画素５１８−１に示すように、サブ画素が、赤色（Ｒ）、緑色（Ｇ）、青色（Ｂ）、白色（Ｗ）のように配列する。偶数行は、出力画像に対応する１画素５１８−２に示すように、サブ画素が、青色（Ｂ）、白色（Ｗ）、赤色（Ｒ）、緑色（Ｇ）のように配列する。例えば、偶数行の赤色（Ｒ）のサブ画素は、偶数行に隣接する奇数行の赤色（Ｒ）のサブ画素と、当該奇数行の赤色（Ｒ）のサブ画素と同じ行で当該奇数行の赤色（Ｒ）のサブ画素に隣接する赤色（Ｒ）のサブ画素との間に配置されている。
【００２２】
図６は、本発明の一実施形態に係る入力画像に対応する画素と出力画像に対応する画素を示す模式図である。図６では、入力画像信号に対応する２画素６１８−１が、出力画像に対応する１画素５１８−１に変換される。図６では、赤色の入力画像信号に対応する２つのサブ画素が、赤色の出力画像に対応する１つのサブ画素に変換される例を示す。なお、緑色の入力画像信号、青色の入力画像についても、赤色の入力画像信号と同様に出力画像への変換が行われる。
【００２３】
また、図６では、入力画像に対応する画素において、点灯するサブ画素を右斜線のハッチングで示し、出力画像に対応する画素において、点灯するサブ画素を左斜線のハッチングで示している。
【００２４】
第２の画素（ＲＤ２とＧＤ２とは図示し、ＢＤ２とＷＤ２とは図示せず）は第１の画素（ＲＤ１、ＧＤ１、ＢＤ１、ＷＤ１）と同じ行方向に隣接して配置されている。第３の画素（ＲＤ３、ＧＤ３、ＢＤ３、ＷＤ３）は、第１の画素と第２の画素が配置される行に隣接する行で、第１の画素と第２の画素との間に配置されている。
【００２５】
第１の画素の赤色のサブ画素ＲＤ１に対応する第１の入力画素Ｒ１の第１の入力画像信号がＲｅ１である。第１の画素の緑色のサブ画素ＧＤ１に対応する第１の入力画素Ｇ１の第１の入力画像信号がＧｅ１である。第１の画素の青色のサブ画素ＢＤ１に対応する第１の入力画素Ｂ１の第１の入力画像信号がＢｅ１である。
【００２６】
第２の画素の赤色のサブ画素ＲＤ２に対応する第２の入力画素Ｒ２の第２の入力画像信号がＲｅ２である。第２の画素の緑色のサブ画素ＧＤ２に対応する第２の入力画素Ｇ２の第２の入力画像信号がＧｅ２である。第２の画素の青色のサブ画素ＢＤ２（図示せず）に対応する第２の入力画素Ｂ２の第２の入力画像信号がＢｅ２である。
【００２７】
第３の画素の赤色のサブ画素ＲＤ３に対応する第３の入力画素Ｒ３の第３の入力画像信号がＲｏ２である。第３の画素の緑色のサブ画素ＧＤ３に対応する第３の入力画素Ｇ３の第３の入力画像信号がＧｏ２である。第３の画素の青色のサブ画素ＢＤ３に対応する第３の入力画素Ｂ３の第３の入力画像信号がＢｏ３である。
【００２８】
第４の入力画素において、赤色Ｒ４に対応する第４の入力画像信号がＲｏ１である。第４の入力画素において、緑色Ｇ４に対応する第４の入力画像信号がＧｏ１である。第４の入力画素において、青色Ｂ４に対応する第４の入力画像信号がＢｏ１である。第４の入力画素は、第１の画素、第２の画素、及び第３の画素のいずれの画素にも対応しない。第４の入力画素は、第１の画素、第２の画素、及び第３の画素のいずれのサブ画素にも対応しない。第４の入力画像信号は、第１の入力画像信号、第２の入力画像信号、及び第３の入力画像信号のいずれの入力画像信号とも異なる。第４の入力画像信号は、第１の入力画像信号と、第２の入力画像信号との間に入力される。すなわち、入力画像信号は、第１の入力画像信号、第４の入力画像信号、第２の入力画像信号、第３の入力画像信号の順番に転送され、画像処理回路１００に入力する。
【００２９】
なお、第１の入力画素Ｒ１、第１の入力画素Ｇ１、第１の入力画素Ｂ１、第４の入力画素Ｒ４、第４の入力画素Ｇ４、及び第４の入力画素Ｂ４の入力画像信号を、第１の画素の赤色のサブ画素ＲＤ１、第１の緑色のサブ画素ＧＤ１、第１の青色のサブ画素ＢＤ１、及び第１の画素の白色のサブ画素ＷＤ１に表示する信号に変換する方法、すなわち、各画素が三原色で２画素分の入力画像信号から、各画素が４色の１画素の出力画素に表示する信号に変換する方法は、例えば、特開２０１５−１９７４６１号公報に記載の方法を用いてもよい。
【００３０】
図７は、本発明の一実施形態に係る画像処理方法を説明するフローチャートを示す模式図である。本発明の一実施形態においては、各画素が三原色で２画素分の入力画像信号から、各画素が４色の１画素の出力画素に表示する信号に変換することと、第４の入力画像信号は、画素を点灯させる信号であることを前提とする。そして、画像処理回路によって、第４の入力画像信号を第１のサブ画素、第２のサブ画素、及び第３のサブ画素のいずれか一つのサブ画素に対応させ、第４の入力画像信号といずれか一つの画素に対応する入力画像信号とに基づいて、表示パネルのサブ画素を駆動する信号に変換する。
【００３１】
はじめに、表示パネルに表示される奇数行の画像処理が開始される。例えば、表示パネルの１行目に表示される画像の画像処理が開始される。次に、入力画像信号１１０が画像処理回路１００に入力される（ステップ１２（Ｓ１２））。入力画像信号１１０は記憶回路２０に格納され、画像処理が開始されると、記憶回路２０から入力画像信号が読み出され、入力画像信号が処理されてもよい。入力画像信号１１０は記憶回路２０に格納されずに、画像処理が開始されると、入力画像信号１１０が有する画像データを一つずつ処理してもよい。
【００３２】
続いて、第１のサブ画素に対応する第１の入力画像信号が第１のサブ画素を点灯させる信号か否かを判断する（ステップ１３（Ｓ１３））。
【００３３】
第１のサブ画素に対応する第１の入力画像信号が第１のサブ画素を点灯させる信号であるとき（Ｓ１３のＹＥＳ）、第１の入力画像信号が第１のサブ画素を駆動する信号に画像処理される（ステップ１４（Ｓ１４））。Ｓ１４では、いずれのサブ画素にも対応しない第４の入力画像信号も第１の入力画像信号とに基づいて、第１のサブ画素を駆動する信号に画像処理される。本発明の一実施形態における、三原色の２画素分に相当する入力画像信号が、第１の入力画像信号及び第４の入力画像信号に相当する。
【００３４】
引き続き、第１のサブ画素に対応する第１の入力画像信号が第１のサブ画素を点灯させない信号であるとき（Ｓ１３のＮＯ）、第２のサブ画素に対応する第２の入力画像信号が第２のサブ画素を点灯させる信号か否かを判断する（ステップ１５（Ｓ１５））。
【００３５】
第２のサブ画素に対応する第２の入力画像信号が第２のサブ画素を点灯させる信号であるとき（Ｓ１５のＹＥＳ）、第２の入力画像信号が第２のサブ画素を駆動する信号に画像処理される（ステップ１６（Ｓ１６））。Ｓ１６では、いずれのサブ画素にも対応しない第４の入力画像信号も第２の入力画像信号とに基づいて、第２のサブ画素を駆動する信号に画像処理される。
【００３６】
第２のサブ画素に対応する第２の入力画像信号が第２のサブ画素を点灯させない信号であるとき（Ｓ１５のＮＯ）、第３のサブ画素に対応する第３の入力画像信号が第３のサブ画素を駆動する信号に画像処理される（ステップ１７（Ｓ１７））。Ｓ１７では、いずれのサブ画素にも対応しない第４の入力画像信号も第３の入力画像信号とに基づいて、第３のサブ画素を駆動する信号に画像処理される。なお、Ｓ１７では、第３のサブ画素に対応する第３の入力画像信号が第３のサブ画素を点灯させる信号であってもよいし、第３のサブ画素を点灯させない信号であってもよい。
【００３７】
一つの画素に対する画像処理が終了したら、同じ行の隣接するサブ画素に対してＳ１３からＳ１７を行い、同じ奇数行のすべてのサブ画素に対して画像処理を行ったら、画像処理が完了する。
【００３８】
図７に示すフローチャートにおいては、第４の入力画像信号はサブ画素を点灯させる信号である場合を説明した。第１の入力画像信号、第２の入力画像信号、及び第３の入力画像信号が、いずれのサブ画素も点灯させない信号であって、第４の入力画像信号もサブ画素を点灯させない信号である場合、いずれのサブ画素も点灯させない信号が、対応するサブ画素のそれぞれを駆動する信号に画像処理される。
【００３９】
図６を用いて、図７のＳ１３及びＳ１４を、赤色の画素を例に説明する。第１の赤色のサブ画素ＲＤ１に対応する第１の入力画像信号Ｒｅ１が第１の赤色のサブ画素ＲＤ１を点灯させる信号であるとき、第１の入力画像信号Ｒｅ１が第１の赤色のサブ画素ＲＤ１を駆動する信号に画像処理される。ここで、第４の入力画像信号Ｒｏ１が第４の入力画素のサブ画素Ｒ４を点灯させる信号であるから、第４の入力画像信号Ｒｏ１も第１の入力画像信号Ｒｅ１とに基づいて、第１の画素を駆動する信号に画像処理される。画像処理された信号はＲｐ１である。例えば、第１の入力画像信号Ｒｅ１及び第４の入力画像信号Ｒｏ１は画素の輝度を表すデータを有しており、それぞれの数値の半分が加算されて、第１の赤色のサブ画素ＲＤ１を駆動する信号に画像処理されてもよい。なお、緑色のサブ画素、及び青色のサブ画素も赤色のサブ画素と同様に画像処理されてもよい。
【００４０】
なお、第１の赤色のサブ画素ＲＤ１に対応する第１の入力画像信号Ｒｅ１が第１の赤色のサブ画素ＲＤ１を点灯させる信号であって、第２の画素ＲＤ２に対応する第２の入力画像信号Ｒｅ２が第２の画素ＲＤ２を点灯させる信号であるとき、第１の入力画像信号Ｒｅ１の輝度を表すデータの半分と第４の入力画像信号Ｒｏ１の輝度を表すデータの半分とを加算し、第１の赤色のサブ画素ＲＤ１を駆動する信号に画像処理してもよい。このとき、第２の入力画像信号Ｒｅ２の輝度を表すデータの半分と第４の入力画像信号Ｒｏ１の輝度を表すデータの半分とを加算し、第２の画素ＲＤ２を駆動する信号に画像処理してもよい。
【００４１】
図８を用いて、図６のＳ１５及びＳ１６を、赤色の画素を例に用いて説明する。なお、図７とは点灯する画素が異なる。図７と同様の構成は説明を省略する。図８では、入力画像に対応する画素において、点灯する画素を右斜線のハッチングで示し、出力画像に対応する画素において、点灯する画素を左斜線のハッチングで示している。第１の赤色のサブ画素ＲＤ１に対応する第１の入力画像信号Ｒｅ１が第１の赤色のサブ画素ＲＤ１を点灯させない信号であって、第２の画素ＲＤ２に対応する第２の入力画像信号Ｒｅ２が第２の画素ＲＤ２を点灯させる信号であるとき、第２の入力画像信号Ｒｅ２が第２の画素ＲＤ２を駆動する信号に画像処理される。ここで、第４の入力画像信号Ｒｏ１が第４の入力画素のサブ画素Ｒ４を点灯させる信号であるから、第４の入力画像信号Ｒｏ１も第２の入力画像信号Ｒｅ２とに基づいて、第２の画素ＲＤ２を駆動する信号に画像処理される。画像処理された信号はＲｐ２である。例えば、第２の入力画像信号Ｒｅ２及び第４の入力画像信号Ｒｏ１は画素の輝度を表すデータを有しており、それぞれの数値の半分が加算されて、第２の画素ＲＤ２を駆動する信号に画像処理されてもよい。なお、緑色のサブ画素、及び青色のサブ画素も赤色のサブ画素と同様に画像処理されてもよい。
【００４２】
図９及び図１０を用いて、図６のＳ１７を、赤色の画素を例に用いて説明する。なお、図７とは点灯する画素が異なる。図７と同様の構成は説明を省略する。図９及び図１０では、入力画像に対応する画素において、点灯する画素を右斜線のハッチングで示し、出力画像に対応する画素において、点灯する画素を左斜線のハッチングで示している。図９は、第３の入力画素Ｒ３が点灯する例を示し、図１０は第３の入力画素が点灯しない例を示す。第１の赤色のサブ画素ＲＤ１に対応する第１の入力画像信号Ｒｅ１が第１の赤色のサブ画素ＲＤ１を点灯させない信号であって、第２の画素ＲＤ２に対応する第２の入力画像信号Ｒｅ２が第２の画素ＲＤ２を点灯させない信号であるとき、第３の入力画像信号Ｒｏ２が第３の画素ＲＤ３を駆動する信号に画像処理される。ここで、第４の入力画像信号Ｒｏ１が第４の入力画素のサブ画素Ｒ４を点灯させる信号であるから、第４の入力画像信号Ｒｏ１も第３の入力画像信号Ｒｏ２とに基づいて、第３の画素ＲＤ３を駆動する信号に画像処理される。画像処理された信号はＲｐ３である。例えば、第３の入力画像信号Ｒｏ２及び第４の入力画像信号Ｒｏ１は画素の輝度を表すデータを有しており、それぞれの数値の半分が加算されて、第２の画素ＲＤ２を駆動する信号に画像処理されてもよい。なお、緑色のサブ画素、及び青色のサブ画素も赤色のサブ画素と同様に画像処理されてもよい。なお、図９および図１０においては、第３のサブ画素ＲＤ３は、第１のサブ画素ＲＤ１及び第２のサブ画素ＲＤ２が配置される行の下に隣接する行のサブ画素である場合を例に説明した。第３のサブ画素ＲＤ３は、この例に限定されない。例えば、第３のサブ画素ＲＤ３は、第１のサブ画素ＲＤ１及び第２のサブ画素ＲＤ２が配置される行の上に隣接する行のサブ画素であってもよい。
【００４３】
図１１は、本発明の一実施形態に係る入力画像に対応する画素と出力画像に対応する画素を示す模式図である。図１１は、偶数行の画像処理を説明するための模式図であり、奇数行の画像処理を説明するための模式図である図６と同様の構成に関する説明は省略する。
【００４４】
第５の画素の赤色のサブ画素ＲＤ５に対応する第５の入力画素Ｒ５の第５の入力画像信号がＲｏ５である。第５の画素の緑色のサブ画素ＧＤ５に対応する第５の入力画素Ｇ５の第５の入力画像信号がＧｏ５である。第５の画素の青色のサブ画素ＢＤ５に対応する第５の入力画素Ｂ５の第５の入力画像信号がＢｏ５である。
【００４５】
第６の画素の赤色のサブ画素ＲＤ６に対応する第６の入力画素Ｒ６の第６の入力画像信号がＲｏ６である。第６の画素の緑色のサブ画素ＧＤ６に対応する第６の入力画素Ｇ６の第６の入力画像信号がＧｏ６である。第６の画素の青色のサブ画素ＢＤ６に対応する第６の入力画素Ｂ６の第６の入力画像信号がＢｏ６である。
【００４６】
第７の画素の赤色のサブ画素ＲＤ７に対応する第７の入力画素Ｒ７の第７の入力画像信号がＲｅ７である。第７の画素の緑色のサブ画素ＧＤ７に対応する第７の入力画素Ｇ７の第７の入力画像信号がＧｅ７である。第７の画素の青色のサブ画素ＢＤ７に対応する第７の入力画素Ｂ７の第７の入力画像信号がＢｅ７である。
【００４７】
第８の入力画素において、赤色Ｒ８に対応する第８の入力画像信号がＲｅ８である。第８の入力画素において、緑色Ｇ８に対応する第８の入力画像信号がＧｅ８である。第８の入力画素において、青色Ｂ８に対応する第８の入力画像信号がＢｅ８である。第８の入力画素は、第５の画素、第６の画素、及び第７の画素のいずれの画素にも対応しない。第８の入力画素は、第５の画素、第６の画素、及び第７の画素のいずれのサブ画素にも対応しない。第８の入力画像信号は、第５の入力画像信号、第６の入力画像信号、及び第７の入力画像信号のいずれの入力画像信号とも異なる。第８の入力画像信号は、第５の入力画像信号と、第６の入力画像信号との間に入力される。すなわち、入力画像信号は、第５の入力画像信号、第８の入力画像信号、第６の入力画像信号、第７の入力画像信号の順番に転送され、画像処理回路１００に入力する。
【００４８】
なお、第８の入力画素Ｒ８、第８の入力画素Ｇ８、第８の入力画素Ｂ８、第６の入力画素Ｒ６、第６の入力画素Ｇ６、及び第６の入力画素Ｂ６の入力画像信号を、第６の画素の赤色のサブ画素ＲＤ６、第６の緑色のサブ画素ＧＤ６、第６の青色のサブ画素ＢＤ６、及び第６の画素の白色のサブ画素ＷＤ６に表示する信号に変換する方法、すなわち、各画素が三原色で２画素の入力画像信号から、各画素が４色の１画素の出力画素に表示する信号に変換する方法は、例えば、特開２０１５−１９７４６１号公報に記載の方法を用いてもよい。
【００４９】
図１２は、本発明の一実施形態に係る画像処理方法を説明するフローチャートを示す模式図である。前提となる条件は、図７の説明における第４の入力画像信号を第８の入力画像信号に置き換えることで、説明できる。ここでの説明は省略する。そして、画像処理回路によって、第８の入力画像信号を第５のサブ画素、第６のサブ画素、及び第７のサブ画素のいずれか一つのサブ画素に対応させ、第８の入力画像信号といずれか一つのサブ画素に対応する入力画像信号とに基づいて、表示パネルのサブ画素を駆動する信号に変換する。
【００５０】
はじめに、表示パネルに表示される偶数行の画像処理が開始される。例えば表示パネルの２行目に表示される画像の画像処理が開始される。次に、入力画像信号１１０が画像処理回路１００に入力される（ステップ２２（Ｓ２２））。入力画像信号１１０は記憶回路２０に格納され、画像処理が開始されると、記憶回路２０から入力画像信号が読み出され、入力画像信号が処理されてもよい。入力画像信号１１０は記憶回路２０に格納されずに、画像処理が開始されると、入力画像信号１１０が有する画像データを一つずつ処理してもよい。また、偶数行の処理が奇数行の処理に続いて行われ、入力画像信号１１０が既に入力され、入力画像信号１１０が記憶回路２０に格納されている場合、Ｓ２２は行わなくてもよい。
【００５１】
続いて、第６のサブ画素に対応する第６の入力画像信号が第６のサブ画素を点灯させる信号か否かを判断する（ステップ２３（Ｓ２３））。第６のサブ画素に対応する第６の入力画像信号が第６のサブ画素を点灯させる信号であるとき（Ｓ２３のＹＥＳ）、第６の入力画像信号が第６のサブ画素を駆動する信号に画像処理される（ステップ２４（Ｓ２４））。Ｓ２４では、いずれのサブ画素にも対応しない第８の入力画像信号も第６の入力画像信号とに基づいて、第６のサブ画素を駆動する信号に画像処理される。本発明の一実施形態における、三原色の２画素分に相当する入力画像信号が、第６の入力画像信号及び第８の入力画像信号に相当する。なお、第８の入力画像信号はサブ画素を点灯させる信号である。
【００５２】
引き続き、第６のサブ画素に対応する第６の入力画像信号が第６のサブ画素を点灯させない信号であるとき（Ｓ２３のＮＯ）、第５のサブ画素に対応する第５の入力画像信号が第５のサブ画素を点灯させる信号か否かを判断する（ステップ２５（Ｓ２５））。
【００５３】
第５のサブ画素に対応する第５の入力画像信号が第５のサブ画素を点灯させる信号であるとき（Ｓ２５のＹＥＳ）、第５の入力画像信号が第５のサブ画素を駆動する信号に画像処理される（ステップ２６（Ｓ２６））。Ｓ２６では、いずれのサブ画素にも対応しない第８の入力画像信号も第５の入力画像信号とに基づいて、第５のサブ画素を駆動する信号に画像処理される。
【００５４】
第５のサブ画素に対応する第５の入力画像信号が第５のサブ画素を点灯させない信号であるとき（Ｓ２５のＮＯ）、第７のサブ画素に対応する第７の入力画像信号が第７のサブ画素を駆動する信号に画像処理される（ステップ２７（Ｓ２７））。Ｓ２７では、いずれのサブ画素にも対応しない第８の入力画像信号も第７の入力画像信号とに基づいて第７のサブ画素を駆動する信号に画像処理される。なお、Ｓ２７では、第７のサブ画素に対応する第７の入力画像信号が第７のサブ画素を点灯させる信号であってもよいし、第７のサブ画素を点灯させない信号であってもよい。
【００５５】
一つのサブ画素に対する画像処理が終了したら、同じ行の隣接するサブ画素に対してＳ２３からＳ２７を行い、同じ偶数行のすべてのサブ画素に対して画像処理を行ったら、画像処理が完了する。
【００５６】
図１２に示すフローチャートにおいては、第８の入力画像信号はサブ画素を点灯させる信号である場合を説明した。第５の入力画像信号、第６の入力画像信号、及び第７の入力画像信号が、いずれのサブ画素も点灯させない信号であって、第８の入力画像信号もサブ画素を点灯させない信号である場合、いずれのサブ画素も点灯させない信号が、対応するサブ画素のそれぞれを駆動する信号に画像処理される。
【００５７】
図１１を用いて、図１２のＳ２３及びＳ２４を、赤色の画素を例に用いて説明する。第６の画素ＲＤ６に対応する第６の入力画像信号Ｒｏ６が第６の画素ＲＤ６を点灯させる信号であるとき、第６の入力画像信号Ｒｏ６が第６の画素ＲＤ６を駆動する信号に画像処理される。ここで、第８の入力画像信号Ｒｅ８が第８の入力画素のサブ画素Ｒ８を点灯させる信号であるから、第８の入力画像信号Ｒｅ８も第６の入力画像信号Ｒｏ６とに基づいて、第６の画素を駆動する信号に画像処理される。画像処理された信号はＲｐ６である。例えば、第６の入力画像信号Ｒｏ６及び第８の入力画像信号Ｒｅ８は画素の輝度を表すデータを有しており、それぞれの数値の半分が加算されて、第６の画素ＲＤ６に入力されるように画像処理されてもよい。なお、緑色のサブ画素、及び青色のサブ画素も赤色のサブ画素と同様に画像処理されてもよい。
【００５８】
なお、第６の画素ＲＤ６に対応する第６の入力画像信号Ｒｏ６が第６の画素ＲＤ６を点灯させる信号であって、第５の画素ＲＤ５に対応する第５の入力画像信号Ｒｏ５が第５の画素ＲＤ５を点灯させる信号であるとき、第６の入力画像信号Ｒｏ６の輝度を表すデータの半分と第８の入力画像信号Ｒｅ８の輝度を表すデータの半分とが加算され、第６の画素ＲＤ６を駆動するように画像処理されてもよい。このとき、第５の入力画像信号Ｒｏ５の輝度を表すデータの半分と第８の入力画像信号Ｒｅ８の輝度を表すデータの半分とが加算され、第５の画素ＲＤ５を駆動するように画像処理してもよい。
【００５９】
図１３を用いて、図１１のＳ２５及びＳ２６を、赤色の画素を例に用いて説明する。なお、図１２とは点灯する画素が異なる。図１２と同様の構成は説明を省略する。第６の画素ＲＤ６に対応する第６の入力画像信号Ｒｅ６が第６の画素ＲＤ６を点灯させない信号であって、第５の画素ＲＤ５に対応する第５の入力画像信号Ｒｏ５が第５の画素ＲＤ５を点灯させる信号であるとき、第５の入力画像信号Ｒｏ５が第５の画素ＲＤ５を駆動する信号に画像処理される。ここで、第８の入力画像信号Ｒｅ８が第８の入力画素のサブ画素Ｒ８を点灯させる信号であるから、第８の入力画像信号Ｒｅ８も第５の入力画像信号Ｒｏ５とに基づいて、第５の画素ＲＤ５を駆動する信号に画像処理される。画像処理された信号はＲｐ５である。例えば、第５の入力画像信号Ｒｏ５及び第８の入力画像信号Ｒｏ８は画素の輝度を表すデータを有しており、それぞれの数値の半分が加算されて、第５の画素ＲＤ５を駆動するように画像処理してもよい。なお、緑色のサブ画素、及び青色のサブ画素も赤色のサブ画素と同様に画像処理されてもよい。
【００６０】
図１４及び図１５を用いて、図１１のＳ２７を、赤色の画素を例に用いて説明する。なお、図１２とは点灯する画素が異なる。図１２と同様の構成は説明を省略する。図１４は、第７の入力画素Ｒ７が点灯する例を示し、図１５は第７の入力画素Ｒ７が点灯しない例を示す。第６の画素ＲＤ６に対応する第６の入力画像信号Ｒｏ６が第６の画素ＲＤ６を点灯させない信号であって、第５の画素ＲＤ５に対応する第５の入力画像信号Ｒｏ５が第５の画素ＲＤ５を点灯させない信号であるとき、第７の入力画像信号Ｒｅ７が第７の画素ＲＤ７を駆動する信号に画像処理される。ここで、第８の入力画像信号Ｒｅ８が第８の入力画素のサブ画素Ｒ８を点灯させる信号であるから、第８の入力画像信号Ｒｅ８も第７の入力画像信号Ｒｅ７とに基づいて、第７の画素ＲＤ７を駆動する信号に画像処理される。画像処理された信号はＲｐ７である。例えば、第７の入力画像信号Ｒｅ７及び第８の入力画像信号Ｒｅ８は画素の輝度を表すデータを有しており、それぞれの数値の半分が加算されて、第７の画素ＲＤ７を駆動する信号に画像処理されてもよい。なお、緑色のサブ画素、及び青色のサブ画素も赤色のサブ画素と同様に画像処理されてもよい。
【００６１】
図４から図１５で説明した処理を、奇数行と偶数行で繰り返し行うことで、表示パネルに表示する一画面の画像処理を行うことができる。
【００６２】
図１６は本発明の一実施形態に係る入力画像の例を示す模式図である。図１７は、図１６に示した入力画像を本発明の一実施形態に係る画像処理方法を行わずに、表示パネル５０４に出力画像を表示した場合の例を示す模式図である。図１８は、図１６に示した入力画像を本発明の一実施形態に係る画像処理方法を用いて、画像処理を行い、表示パネル５０４に出力画像を表示した場合の例を示す模式図である。
【００６３】
図１７に示すように、本発明の一実施形態に係る画像処理方法を行わない場合、１本の縦線、横線、及び斜め線が、２重線になり、表示装置の視認性が損なわれていることがわかる。一方、図１８に示すように、本発明の一実施形態に係る画像処理方法を用いることで、１本の縦線、横線、及び斜め線は、１本の縦線、横線、及び斜め線として認識することができ、表示装置の視認性が損なわれることがない。
【００６４】
本発明の一実施形態に係る画像処理方法を用いることで、三原色の２画素分の入力画像信号を、４色の１画素分で表示することができるように画像処理を行っても、１本の縦線、横線、及び斜め線が、ずれること、または、２重線になることを抑制し、１本の縦線、横線、及び斜め線として認識することが可能となる。また、本発明の一実施形態に係る画像処理方法を用いることで、視認性の高い表示装置を提供することができる。
【００６５】
（第２実施形態）
本実施形態では、本発明の一実施形態に係る表示装置の他の構成を説明する。なお、第１実施形態と同様の説明は省略する。
【００６６】
図１９は本発明の一実施形態に係る他の入力画像の例を示す模式図である。図１９は、偶数行の画像処理をするとき、１画素分ずらして処理を行う点が、図４と異なる点である。その他は図４と同じ構成であるから、説明は省略する。
【００６７】
図２０は本発明の一実施形態に係る他の出力画像の例を示す模式図である。図２０は、図１９で示した偶数行の画像処理を１画素分ずらす処理に対応した出力画像の例である。偶数行の入力画像が１画素分ずれることで、偶数行の出力画像が青色に対応するサブ画素と白色に対応するサブ画素の分ずれて表示されることがわかる。図２０は、青色に対応するサブ画素と白色に対応するサブ画素の分ずれて表示される点が図５と異なる点である。その他は図５と同じ構成であるから、説明は省略する。
【００６８】
図１９と図２０で説明したように、偶数行の画像処理を１画素分ずらすことで、出力画像において、奇数行の１画素と、偶数行の１画素との画素の配置を同様にすることができる。すなわち、偶数行の画像処理において、入力画像信号を１画素分ずらすことで、奇数行と同様の画像処理を行うことができる。
【００６９】
図２１は、本発明の一実施形態に係る他の画像処理方法を説明するフローチャートを示す模式図である。具体的には、図２１は、本発明の一実施形態に係る表示装置において、偶数行の画像処理をするとき、１画素分ずらして処理を行う場合のフローチャートを示す。
【００７０】
はじめに、表示パネルに表示される偶数行の画像処理が開始される。例えば表示パネルの２行目に表示される画像の画像処理が開始される。次に、入力画像信号１１０が画像処理回路１００に入力される（ステップ３１（Ｓ３１））。入力画像信号１１０は記憶回路２０に格納され、画像処理が開始されると、記憶回路２０から入力画像信号が読み出され、入力画像信号が処理されてもよい。入力画像信号１１０は記憶回路２０に格納されずに、画像処理が開始されると、入力画像信号１１０が有する画像データを一つずつ処理してもよい。また、偶数行の処理が奇数行の処理に続いて行われ、入力画像信号１１０が既に入力され、入力画像信号１１０が記憶回路２０に格納されている場合、Ｓ３２は行わなくてもよい。
【００７１】
続いて、画像処理回路は入力画像信号１１０を１画素分ずらす（ステップ３２（Ｓ３２））。
【００７２】
ステップ３３（Ｓ３３）からステップ３７（Ｓ３７）は、図６のステップ１３（Ｓ１３）からステップ１７（Ｓ１７）と同じ処理方法であるから、説明は省略する。
【００７３】
一つのサブ画素に対する画像処理が終了したら、同じ行の隣接するサブ画素に対してＳ３３からＳ３７を行い、同じ奇数行のすべてのサブ画素に対して画像処理を行ったら、画像処理が完了する。図２１に示すフローチャートにおいては、第４の入力画像信号はサブ画素を点灯させる信号である場合を説明した。第１の入力画像信号、第２の入力画像信号、及び第３の入力画像信号が、いずれのサブ画素も点灯させない信号であって、第４の入力画像信号もサブ画素を点灯させない信号である場合、いずれのサブ画素も点灯させない信号が、対応するサブ画素のそれぞれを駆動する信号に画像処理される。
【００７４】
偶数行の画像処理において、入力画像信号を１画素分ずらすことで、奇数行と同様の画像処理を行うことができる。
【００７５】
以上のように説明した画像処理を、奇数行と偶数行で繰り返し行うことで、表示パネルに表示する一画面の画像処理を行うことができる。
【００７６】
偶数行の画像処理において、入力画像信号を１画素分ずらすことで、奇数行と同様の画像処理を行い、表示パネル５０４に出力画像を表示した場合の例は、図１８である。本発明の一実施形態に係る画像処理方法を用いることで、１本の縦線、横線、及び斜め線は、１本の縦線、横線、及び斜め線として認識することができ、表示装置の視認性が損なわれることがない。
【００７７】
本発明の一実施形態に係る画像処理方法を用いることで、視認性の高い表示装置を提供することができる。さらに、本発明の一実施形態に係る画像処理回路は、偶数行の画像処理において、入力画像信号を１画素分ずらすことで、奇数行と同様の画像処理を行うことができる。そのため、奇数行の画像処理と偶数行の画像処理とが異なる処理の場合と比較して、偶数行の画像処理と奇数行の画像処理とにおいて画像処理回路内の回路ブロックを共通化することが可能となる。すなわち、画像処理回路の回路規模を縮小することができる。また、画像処理回路の回路規模が縮小されることで、画像処理回路の消費電力を低減することができる。
【００７８】
（第３実施形態）
本実施形態では、本発明の一実施形態に係る表示装置の他の構成を説明する。なお、第１実施形態または第２実施形態と同様の説明は省略する。
【００７９】
図２２は、本発明の一実施形態に係る他の画像処理方法を説明するフローチャートを示す模式図である。
【００８０】
はじめに、表示パネルに表示される奇数行の画像処理が開始される。例えば、表示パネルの１行目に表示される画像の画像処理が開始される。次に、入力画像信号１１０が画像処理回路１００に入力される（ステップ５１（Ｓ５１））。入力画像信号１１０は記憶回路２０に格納され、画像処理が開始されると、記憶回路２０から入力画像信号が読み出され、入力画像信号が処理されてもよい。入力画像信号１１０は記憶回路２０に格納されずに、画像処理が開始されると、入力画像信号１１０が有する画像データを一つずつ処理してもよい。
【００８１】
続いて、第１のサブ画素に対応する第１の入力画像信号と第２の入力画像信号との少なくとも一方が第１のサブ画素を点灯させる信号か否かを判断する。少なくとも一方が第１のサブ画素を点灯させる信号であるとき、第１の入力画像信号と第２の入力画像信号との少なくとも一方が第１のサブ画素を駆動する信号に画像処理される（ステップ５２（Ｓ５２））。本発明の一実施形態における、三原色の２画素分に相当する入力画像信号が、第１の入力画像信号及び第２の入力画像信号に相当する。
【００８２】
引き続き、１行目の隣接するサブ画素において、Ｓ５２の画像処理が行われ、１行目の全てのサブ画素に対して画像処理が行われたら、１行目の画像処理が終了する。なお、第１のサブ画素に対応する第１の入力画像信号と第２の入力画像信号との両方が第１のサブ画素を点灯させない信号であるとき、第１のサブ画素を点灯させない信号が第１の画素を駆動する信号に画像処理される。
【００８３】
続いて、表示パネルに表示される偶数行の画像処理が開始される。例えば、表示パネルの２行目に表示される画像の画像処理が開始される。続いて、画像処理回路は入力画像信号１１０を１画素分ずらす。入力画像信号１１０を１画素分ずらしたとき、第１のサブ画素に対応する第１の入力画像信号と第２の入力画像信号との少なくとも一方が第１のサブ画素を点灯させる信号か否かを判断する。少なくとも一方が第１のサブ画素を点灯させる信号であるとき、第１の入力画像信号と第２の入力画像信号との少なくとも一方が第１のサブ画素を駆動する信号に画像処理される（ステップ５５（Ｓ５５））。
【００８４】
引き続き、２行目の隣接するサブ画素において、第１のサブ画素に対応する第１の入力画像信号と第２の入力画像信号との少なくとも一方が第１のサブ画素を点灯させる信号か否かを判断する。少なくとも一方が第１のサブ画素を点灯させる信号であるとき、第１の入力画像信号と第２の入力画像信号との少なくとも一方が第１のサブ画素を駆動する信号に画像処理される（ステップ５６（Ｓ５６））。
【００８５】
引き続き、２行目の隣接するサブ画素において、Ｓ５６の画像処理が行われ、２行目の全てのサブ画素に対して画像処理が行われたら、２行目の画像処理が終了する。なお、第１のサブ画素に対応する第１の入力画像信号と第２の入力画像信号との両方が第１のサブ画素を点灯させない信号であるとき、第１のサブ画素を点灯させない信号が第１のサブ画素に入力される。２行目の全てのサブ画素に対して画像処理が行われたら、２行目の画像処理が終了する。
【００８６】
図２２で説明した、Ｓ５０からＳ５７の画像処理を、奇数行と偶数行で繰り返し行うことで、表示パネルに表示する一画面の画像処理を行うことができる。
【００８７】
図２３は、本発明の一実施形態に係る入力画像に対応する画素と出力画像に対応する画素を示す模式図である。図２３では、入力画像信号に対応する２画素６１８が、出力画像に対応する１画素５１８に変換される。特に、赤色の入力画像信号に対応する２つのサブ画素が、赤色の出力画像に対応する１つのサブ画素に変換される例を示す。また、図２３では、入力画像に対応するサブ画素において、点灯するサブ画素を右斜線のハッチングで示し、出力画像に対応するサブ画素において、点灯するサブ画素を左斜線のハッチングで示している。
【００８８】
第１の画素の赤色のサブ画素ＲＤ１に対応する第１の入力画素Ｒ１の第１の入力画像信号がＲｅ１である。第１の画素の緑色のサブ画素ＧＤ１に対応する第１の入力画素Ｇ１の第１の入力画像信号がＧｅ１である。第１の画素の青色のサブ画素ＢＤ１に対応する第１の入力画素Ｂ１の第１の入力画像信号がＢｅ１である。
【００８９】
第２の入力画素において、赤色Ｒ２に対応する第２の入力画像信号がＲｏ１である。第２の入力画素において、緑色Ｇ２に対応する第２の入力画像信号がＧｏ１である。第２の入力画素において、青色Ｂ２に対応する第２の入力画像信号がＢｏ１である。
【００９０】
図２３を用いて、図２２のＳ５２と、１画素分ずらした後のＳ５５と、Ｓ５６とを、赤色のサブ画素を例に用いて説明する。第１の赤色のサブ画素ＲＤ１に対応する第１の入力画像信号Ｒｅ１が第１の赤色のサブ画素ＲＤ１を点灯させる信号であるとき、第１の入力画像信号Ｒｅ１が第１の赤色のサブ画素ＲＤ１を駆動する信号に画像処理される。ここで、第２の入力画像信号Ｒｏ１が第２の入力画素のサブ画素Ｒ２を点灯させる信号であるから、第２の入力画像信号Ｒｏ１も第２の入力画像信号Ｒｅ１とに基づいて、第１の赤色のサブ画素ＲＤ１を駆動する信号に画像処理される。画像処理された信号はＲｐ１である。例えば、第１の入力画像信号Ｒｅ１及び第２の入力画像信号Ｒｏ１は画素の輝度を表すデータを有しており、それぞれの数値の半分が加算されて、第１の赤色のサブ画素ＲＤ１を駆動する信号に画像処理されてもよい。なお、緑色のサブ画素、及び青色のサブ画素も赤色のサブ画素と同様に画像処理されてもよい。
【００９１】
図２４を用いて、図２２のＳ５２と、１画素分ずらした後のＳ５５と、Ｓ５６とを、赤色の画素を例に用いて説明する。第１の赤色のサブ画素ＲＤ１に対応する第１の入力画像信号Ｒｅ１が第１の赤色のサブ画素ＲＤ１を点灯させる信号であるとき、第１の入力画像信号Ｒｅ１が第１の赤色のサブ画素ＲＤ１を駆動する信号に画像処理される。ここで、第２の入力画像信号Ｒｏ１が第２の入力画素のサブ画素Ｒ２を点灯させる信号ではない。画像処理された信号はＲｐ１である。例えば、第１の入力画像信号Ｒｅ１は画素の輝度を表すデータを有しており、その数値の半分が、第１の赤色のサブ画素ＲＤ１を駆動する信号に画像処理されてもよい。なお、緑色のサブ画素、及び青色のサブ画素も赤色のサブ画素と同様に画像処理されてもよい。
【００９２】
図２５を用いて、図２２のＳ５２と、１画素分ずらした後のＳ５５と、Ｓ５６とを、赤色の画素を例に用いて説明する。第１の赤色のサブ画素ＲＤ１に対応する第１の入力画像信号Ｒｅ１が第１の赤色のサブ画素ＲＤ１を点灯させない信号であるとき、第１の入力画像信号Ｒｅ１が第１の赤色のサブ画素ＲＤ１を駆動する信号に画像処理されない。第２の入力画像信号Ｒｏ１が第２の入力画素のサブ画素Ｒ２を点灯させる信号であるとき、第２の入力画像信号Ｒｏ１が１の赤色のサブ画素ＲＤ１を駆動する信号に画像処理される。画像処理された信号はＲｐ１である。例えば、第２の入力画像信号Ｒｏ１は画素の輝度を表すデータを有しており、その数値の半分が、第１の赤色のサブ画素ＲＤ１を駆動する信号に画像処理されてもよい。なお、緑色のサブ画素、及び青色のサブ画素も赤色のサブ画素と同様に画像処理されてもよい。
【００９３】
図２６は、図１６に示した入力画像を本発明の一実施形態に係る画像処理方法を用いて、画像処理を行い、表示パネル５０４に出力画像を表示した場合の例を示す模式図である。
【００９４】
図２６に示すように、本発明の一実施形態に係る画像処理方法を用いることで、１本の斜め線は、２重線になることがない。
【００９５】
本発明の一実施形態に係る画像処理方法を用いることで、三原色の２画素分の入力画像信号を、４色の１画素分で表示することができるように画像処理を行っても、斜め線がずれること、または、２重線になることを抑制することが可能となる。また、本発明の一実施形態に係る画像処理方法を用いることで、視認性の高い表示装置を提供することができる。さらに、本発明の一実施形態に係る画像処理回路は、偶数行の画像処理において、入力画像信号を１画素分ずらすことで、奇数行と同様の画像処理を行うことができるため、奇数行の画像処理と偶数行の画像処理とが異なる処理の場合と比較して、偶数行の画像処理と奇数行の画像処理とにおいて画像処理回路内の回路ブロックを共通化することが可能となり、画像処理回路の回路規模を縮小することができる。
【００９６】
（第４実施形態）
本実施形態では、本発明の一実施形態に係る表示装置が有する画素の配列を説明する。なお、第１実施形態乃至第３実施掲載と同様の説明は省略する。
【００９７】
図２７は、本発明の一実施形態に係る出力画像に対応する画素の他の例を示す模式図である。例えば、赤色（Ｒ）に対応するサブ画素は、右斜線のハッチングで示すように、千鳥状に配列する。同じ行の赤色（Ｒ）に対応するサブ画素間は、青色（Ｂ）に対応するサブ画素と緑色（Ｇ）に対応するサブ画素とが配列される。または、同じ行の赤色（Ｒ）に対応するサブ画素間は、緑色（Ｇ）に対応するサブ画素と白色（Ｗ）に対応するサブ画素とが配列される。
【００９８】
図２８は、本発明の一実施形態に係る出力画像に対応する画素の他の例を示す模式図である。例えば、赤色（Ｒ）に対応するサブ画素は、右斜線のハッチングで示すように、千鳥状に配列する。同じ行の赤色（Ｒ）に対応するサブ画素間は、緑色（Ｇ）に対応する第１のサブ画素と、青色（Ｂ）対応するサブ画素と、緑色（Ｇ）に対応する第２のサブ画素と、が配列される。
【００９９】
図２９は、本発明の一実施形態に係る出力画像に対応する画素の他の例を示す模式図である。図２９は図２８と比較して、同じ行の赤色（Ｒ）に対応するサブ画素間は、緑色（Ｇ１）に対応するサブ画素と、青色（Ｂ）に対応するサブ画素と、緑色（Ｇ２）に対応するサブ画素と、が配列される点が異なる。それ以外は図２８と同じであるから、図２８と同じ構成の説明は省略する。緑色（Ｇ１）に対応するサブ画素は、緑色（Ｇ）よりも黄色に近い色に対応するサブ画素であってもよい。また、緑色（Ｇ２）に対応するサブ画素は、緑色（Ｇ）よりもシアンに近い色に対応するサブ画素であってもよい。
【０１００】
図３０は、本発明の一実施形態に係る出力画像に対応する画素の他の例を示す模式図である。図３０は図２８と比較して、同じ行の赤色（Ｒ）に対応するサブ画素間は、緑色（Ｇ１）に対応する第１のサブ画素と、緑色（Ｇ２）に対応する第１のサブ画素と、青色（Ｂ）に対応するサブ画素と、緑色（Ｇ２）に対応する第２のサブ画素と、緑色（Ｇ１）に対応する第２のサブ画素と、が配列される点が異なる。それ以外は図２８と同じであるから、図２８と同じ構成の説明は省略する。緑色（Ｇ１）に対応するサブ画素は、緑色（Ｇ）よりも黄色に近い色に対応するサブ画素であってもよい。また、緑色（Ｇ２）に対応するサブ画素は、緑色（Ｇ）よりもシアンに近い色に対応するサブ画素であってもよい。
【０１０１】
本発明の一実施形態に係る表示装置が有する画素の配列は、図２７、図２８、図２９、図３０及び上記で説明した図５のように、同じ色の画素が千鳥状に配列される画素配列を適用することができる。本発明の一実施形態に係る表示装置は、千鳥状に配列された画素の配列を適用することで、視認性の高い表示装置及び視認性の高い表示装置の画像処理方法を提供することができる。
【０１０２】
本発明の実施形態として上述した各実施形態において、白色（Ｗ）に対応するサブ画素は、黄色に対応するサブ画素であってもよいし、シアンに対応するサブ画素であってもよいし、マゼンダに対応するサブ画素であってもよい。また、画像処理は、必ずしもすべてのサブ画素に対して行わなくともよい。例えば、赤色（Ｒ）に対応するサブ画素と、緑色（Ｇ）に対応するサブ画素との二つのサブ画素に画像処理を適用してもよい。本願の発明を逸脱しない範囲において、適宜検討すればよい。
【０１０３】
本発明の実施形態として上述した各実施形態は、相互に矛盾しない限りにおいて、適宜組み合わせて実施することができる。
【０１０４】
本明細書においては、開示例として主に表示装置と画像処理方法を例示したが、画像処理装置が処理した画像データを表示する表示装置は、別の自発光型表示装置、液晶表示装置、あるいは電気泳動素子などを有する電子ペーパ型表示装置など、あらゆるフラットパネル型の表示装置が挙げられる。また、中小型から大型まで、特に限定することなく適用が可能である。
【０１０５】
上述した各実施形態の態様によりもたらされる作用効果とは異なる別の作用効果であっても、本明細書の記載から明らかなもの、または、当業者において容易に予測し得るものについては、当然に本発明によりもたらされるものと解される。
【符号の説明】
【０１０６】
１０・・・表示装置、２０・・・記憶回路、３０・・・バッファ回路、１００・・・画像処理回路、１１０・・・入力画像信号、１１２・・・出力画像信号、５００・・・表示パネル、５０２・・・出力サブ画像、５０４・・・表示領域、５０６・・・映像信号線駆動回路、５０８、５１０・・・走査信号線駆動回路、５１２・・・コネクタ、５１４・・・基板、６０２・・・入力画像信号に対応するサブ画素、６１６・・・入力画像信号に対応する画素、６１８、６１８−１、６１８−２・・・入力画像信号に対応する２画素、５１８、５１８−１、５１８−２・・・出力画像に対応する画素
【図１】
2019032422.tif 000003
【図２】
2019032422.tif 000004
【図３】
2019032422.tif 000005
【図４】
2019032422.tif 000006
【図５】
2019032422.tif 000007
【図６】
2019032422.tif 000008
【図７】
2019032422.tif 000009
【図８】
2019032422.tif 000010
【図９】
2019032422.tif 000011
【図１０】
2019032422.tif 000012
【図１１】
2019032422.tif 000013
【図１２】
2019032422.tif 000014
【図１３】
2019032422.tif 000015
【図１４】
2019032422.tif 000016
【図１５】
2019032422.tif 000017
【図１６】
2019032422.tif 000018
【図１７】
2019032422.tif 000019
【図１８】
2019032422.tif 000020
【図１９】
2019032422.tif 000021
【図２０】
2019032422.tif 000022
【図２１】
2019032422.tif 000023
【図２２】
2019032422.tif 000024
【図２３】
2019032422.tif 000025
【図２４】
2019032422.tif 000026
【図２５】
2019032422.tif 000027
【図２６】
2019032422.tif 000028
【図２７】
2019032422.tif 000029
【図２８】
2019032422.tif 000030
【図２９】
2019032422.tif 000031
【図３０】
2019032422.tif 000032